【手続補正書】
【提出日】平成18年4月3日(2006.4.3)
【手続補正１】
【補正対象書類名】明細書
【補正対象項目名】特許請求の範囲
【補正方法】変更
【補正の内容】
【特許請求の範囲】
【請求項１】  原稿画像を読み取り、その画像データを出力する画像読取手段と、ネットワークを介して前記画像読取手段から出力された画像データに対するサービスを提供する外部サービスと接続するための接続手段とを備える画像読取装置であって、
前記外部サービスを操作者が利用するために当該外部サービスへの発注内容をパーソナライズするためのパーソナライズドサービス情報を取得するパーソナライズドサービス情報取得手段と、
前記取得されたパーソナライズドサービス情報に基づいて前記操作者向けに前記外部サービスへの発注のための設定画面、設定手順、設定内容をパーソナライズするためのパーソナライズ手段と、
前記ネットワークを介して、前記操作者向けに前記パーソナライズ手段によってパーソナライズされた内容に基づく各種設定を前記画像データとともに送信する送信手段と
を有することを特徴とする画像読取装置。
【請求項２】  前記パーソナライズドサービス情報取得手段は、操作者識別情報および該操作者に対応するパーソナライズドサービス情報が記憶されている着脱可能な記憶媒体の読取手段と、前記記憶媒体に記憶されている操作者識別情報に基づいて操作者の識別を行う識別手段とを含むことを特徴とする請求項１記載の画像読取装置。
【請求項３】  前記パーソナライズドサービス情報取得手段は、操作者識別情報および該操作者に対応するパーソナライズドサービス情報が記憶されている無線通信可能な記憶媒体との無線通信手段と、前記記憶媒体に記憶されている操作者識別情報に基づいて操作者の識別を行う識別手段とを含むことを特徴とする請求項１記載の画像読取装置。
【請求項４】  前記ネットワーク上には、操作者識別情報毎に対応付けてパーソナライズドサービス情報を保持する外部サーバが収容され、前記パーソナライズドサービス情報取得手段は、前記ネットワークを介して操作者識別情報を送信し、該送信された操作者識別情報に対応するパーソナライズドサービス情報を前記外部サーバから取得することを特徴とする請求項１記載の画像読取装置。
【請求項５】  前記ネットワーク上には、操作者識別情報および装置識別情報毎に対応付けてパーソナライズドサービス情報を保持する外部サーバが収容され、前記パーソナライズドサービス情報取得手段は、前記ネットワークを介して操作者識別情報および装置識別情報を送信し、該送信された操作者識別情報および装置識別情報に対応するパーソナライズドサービス情報を前記外部サーバから取得することを特徴とする請求項１記載の画像読取装置。
【請求項６】  前記複数の外部サービスはインターネット上に存在し、前記外部サーバはイントラネット上に存在することを特徴とする請求項４または５記載の画像読取装置。
【請求項７】  前記パーソナライズドサービス情報には、操作者が使用するサービスの識別情報と、該使用されるサービスにおける各種設定の初期値とが含まれていることを特徴とする請求項１ないし６のいずれか１つに記載の画像読取装置。
【請求項８】  前記パーソナライズドサービス情報には、操作者が使用するサービスの識別情報と、該使用されるサービスにおける操作者が設定可能な設定値とが含まれていることを特徴とする請求項１ないし６のいずれか１つに記載の画像読取装置。
【請求項９】  前記パーソナライズドサービス情報には、操作者が使用するサービスの識別情報と、該使用されるサービスにおける使用禁止設定値とが含まれていることを特徴とする請求項１ないし６のいずれか１つに記載の画像読取装置。
【請求項１０】  前記パーソナライズドサービス情報には、操作者が使用するサービスの識別情報と、該使用されるサービスにおける操作者が使用可能な設定項目とが含まれていることを特徴とする請求項１ないし６のいずれか１つに記載の画像読取装置。
【請求項１１】  前記パーソナライズドサービス情報には、操作者が使用するサービスの識別情報と、該使用されるサービスにおける使用禁止設定項目とが含まれていることを特徴とする請求項１ないし６のいずれか１つに記載の画像読取装置。
【請求項１２】  前記パーソナライズ手段により、使用するサービスをパーソナライズしない場合は、前記外部サービスを使用禁止にすることを特徴とする請求項１ないし１１記載の画像読取装置。
【請求項１３】  前記外部サービスは、前記送信された画像データのプリントおよび製本サービスであり、該サービスに対する各種設定は、プリント体裁および製本体裁に関する設定を含むことを特徴とする請求項１ないし１２のいずれか１つに記載の画像読取装置。
【請求項１４】  前記外部サービスは、前記送信された画像データのプリントおよび製本サービスであり、該サービスに対する各種設定は、プリント物の配送先に関する設定を含むことを特徴とする請求項１ないし１２のいずれか１つに記載の画像読取装置。
【請求項１５】  前記パーソナライズドサービス情報には、前記配送先として、操作者自身への配送先情報が含まれていることを特徴とする請求項１４記載の画像読取装置。
【請求項１６】  前記パーソナライズドサービス情報には、サービス費用の請求先として、操作者自身を請求先とする情報が含まれていることを特徴とする請求項１ないし１５のいずれか１つに記載の画像読取装置。
【請求項１７】  前記パーソナライズドサービス情報には、サービスを使用する場合のユーザ認証に使用する認証データの一部が含まれていることを特徴とする請求項１ないし１６のいずれか１つに記載の画像読取装置。
【請求項１８】  前記パーソナライズドサービス情報取得手段は、複数のパーソナライズドサービス情報を取得し、前記パーソナライズ手段は、前記取得された複数のパーソナライズドサービス情報に基づいて前記操作者向けにパーソナライズされたサービスのうち、所望のサービスを選択する選択手段を含むことを特徴とする請求項１ないし１７のいずれか１つに記載の画像読取装置。
【請求項１９】  前記パーソナライズ手段により、前記取得されたパーソナライズドサービス情報に基づいて前記操作者向けにパーソナライズされたサービスに対する各種設定を、新規のパーソナライズドサービス情報として、前記パーソナライズドサービス情報の取得元に追加する追加手段を有することを特徴とする請求項１８記載の画像読取装置。
【請求項２０】  原稿画像を読み取り、その画像データを出力する画像読取手段と、ネットワークを介して前記画像読取手段から出力された画像データに対するサービスを提供する外部サービスと接続するための接続手段とを備える画像読取装置のパーソナライズド方法であって、
前記外部サービスを操作者が利用するために当該外部サービスへの発注内容をパーソナライズするためのパーソナライズドサービス情報を取得するパーソナライズドサービス情報取得工程と、
前記取得されたパーソナライズドサービス情報に基づいて前記操作者向けに前記外部サービスへの発注のための設定画面、設定手順、設定内容をパーソナライズするためのパーソナライズ工程と、
前記ネットワークを介して、前記操作者向けに前記パーソナライズ工程でパーソナライズされた内容に基づく各種設定を前記画像データとともに送信する送信工程と
を有することを特徴とするパーソナライズド方法。
【請求項２１】  原稿画像を読み取り、その画像データを出力する画像読取手段と、ネットワークを介して前記画像読取手段から出力された画像データに対するサービスを提供する外部サービスと接続するための接続手段とを備える画像読取装置上で実行されるプログラムであって、
前記外部サービスを操作者が利用するために当該外部サービスへの発注内容をパーソナライズするためのパーソナライズドサービス情報を取得するパーソナライズドサービス情報取得モジュールと、
前記取得されたパーソナライズドサービス情報に基づいて前記操作者向けに前記外部サービスへの発注のための設定画面、設定手順、設定内容をパーソナライズするためのパーソナライズモジュールと、
前記ネットワークを介して、前記操作者向けに前記パーソナライズモジュールによってパーソナライズされた内容に基づく各種設定を前記画像データとともに送信する送信モジュールと
を有することを特徴とするプログラム。
【請求項２２】  請求項２１記載のプログラムをコンピュータ読取り可能に格納したことを特徴とする記憶媒体。
【手続補正２】
【補正対象書類名】明細書
【補正対象項目名】０００８
【補正方法】変更
【補正の内容】
【０００８】
【課題を解決するための手段】
本発明は、上記目的を達成するため、原稿画像を読み取り、その画像データを出力する画像読取手段と、ネットワークを介して前記画像読取手段から出力された画像データに対するサービスを提供する外部サービスと接続するための接続手段とを備える画像読取装置であって、前記外部サービスを操作者が利用するために当該外部サービスへの発注内容をパーソナライズするためのパーソナライズドサービス情報を取得するパーソナライズドサービス情報取得手段と、前記取得されたパーソナライズドサービス情報に基づいて前記操作者向けに前記外部サービスへの発注のための設定画面、設定手順、設定内容をパーソナライズするためのパーソナライズ手段と、前記ネットワークを介して、前記操作者向けに前記パーソナライズ手段によってパーソナライズされた内容に基づく各種設定を前記画像データとともに送信する送信手段とを有することを特徴とする。
【手続補正３】
【補正対象書類名】明細書
【補正対象項目名】０００９
【補正方法】変更
【補正の内容】
【０００９】
また、本発明は、上記目的を達成するため、原稿画像を読み取り、その画像データを出力する画像読取手段と、ネットワークを介して前記画像読取手段から出力された画像データに対するサービスを提供する外部サービスと接続するための接続手段とを備える画像読取装置のパーソナライズド方法であって、前記外部サービスを操作者が利用するために当該外部サービスへの発注内容をパーソナライズするためのパーソナライズドサービス情報を取得するパーソナライズドサービス情報取得工程と、前記取得されたパーソナライズドサービス情報に基づいて前記操作者向けに前記外部サービスへの発注のための設定画面、設定手順、設定内容をパーソナライズするためのパーソナライズ工程と、前記ネットワークを介して、前記操作者向けに前記パーソナライズ工程でパーソナライズされた内容に基づく各種設定を前記画像データとともに送信する送信工程とを有することを特徴とする。
【手続補正４】
【補正対象書類名】明細書
【補正対象項目名】００１０
【補正方法】変更
【補正の内容】
【００１０】
また、本発明は、上記目的を達成するため、原稿画像を読み取り、その画像データを出力する画像読取手段と、ネットワークを介して前記画像読取手段から出力された画像データに対するサービスを提供する外部サービスと接続するための接続手段とを備える画像読取装置上で実行されるプログラムであって、前記外部サービスを操作者が利用するために当該外部サービスへの発注内容をパーソナライズするためのパーソナライズドサービス情報を取得するパーソナライズドサービス情報取得モジュールと、前記取得されたパーソナライズドサービス情報に基づいて前記操作者向けに前記外部サービスへの発注のための設定画面、設定手順、設定内容をパーソナライズするためのパーソナライズモジュールと、
前記ネットワークを介して、前記操作者向けに前記パーソナライズモジュールによってパーソナライズされた内容に基づく各種設定を前記画像データとともに送信する送信モジュールとを有することを特徴とする。